(57)【要約】【課題】本発明は、安全且つスマートキーの電力を省エネできるスマートキーシステムを提供することを目的とする。【解決手段】本発明は、スマートキーと、車に装着される制御装置と、を備え、スマートキーは、第一制御器と、信号送信モジュールと、無線充電受信コイルと、を備え、制御装置は、第二制御器と、信号受信モジュールと、無線充電発信コイルと、を備え、信号送信モジュールは、音声信号を採集し、且つ信号受信モジュールに送信し、信号受信モジュールは、音声信号を第二制御器に送信し、第二制御器は音声信号に対してＩＤ検証作業を行い、車のロック解除を制御すると共に、無線充電発信コイルを駆動し、無線充電発信コイルは、電磁信号を無線充電受信コイルに伝送し、無線充電受信コイルは受信した電磁信号を第一制御器に送信する。【選択図】図１
2016098643.tif 000002
【特許請求の範囲】
【請求項１】
スマートキーと、
車に装着される制御装置と、
を備えてなるスマートキーシステムであって、
前記スマートキーは、第一制御器と、信号送信モジュールと、無線充電受信コイルと、を備え、前記制御装置は、第二制御器と、信号受信モジュールと、無線充電発信コイルと、を備え、
前記信号送信モジュールは、音声信号を採集し、且つ前記信号受信モジュールに送信し、前記信号受信モジュールは、前記音声信号を前記第二制御器に送信し、前記第二制御器は前記音声信号に対してＩＤ検証作業を行い、車のロック解除を制御すると共に、前記無線充電発信コイルを駆動し、
前記無線充電発信コイルは、電磁信号を前記無線充電受信コイルに伝送し、前記無線充電受信コイルは受信した前記電磁信号を前記第一制御器に送信し、前記第一制御器は前記電磁信号を電力に変換し、且つ前記信号送信モジュールに伝送することを特徴とするスマートキーシステム。
【請求項２】
前記信号送信モジュールは、第一音声採集モジュール及び第一音声エンコードモジュールを備え、前記第一音声採集モジュールは、前記音声信号を採集し、且つアナログ信号に変換し、前記第一音声エンコードモジュールは、前記アナログ信号をデジタル信号に変換することを特徴とする請求項１に記載のスマートキーシステム。
【請求項３】
前記信号受信モジュールは、音声サンプル信号を採集でき、第二音声採集モジュール及び第二音声エンコードモジュールを備えることを特徴とする請求項１又は２に記載のスマートキーシステム。
【請求項４】
前記第二制御器は、ＩＤ検証モジュールを更に備え、前記ＩＤ検証モジュールは、前記音声信号を前記音声サンプル信号と対比して、ＩＤが正しいか否かを判断することを特徴とする請求項３に記載のスマートキーシステム。
【請求項５】
前記第二制御器は、伝送モジュールを更に備え、前記伝送モジュールは、前記信号受信モジュールから送信された前記音声信号を受信し、且つ前記ＩＤ検証モジュールに伝送することを特徴とする請求項４に記載のスマートキーシステム。
【請求項６】
前記制御装置は、前記第二制御器に電力信号を伝送できる電池を更に備えることを特徴とする請求項１から５の何れか一項に記載のスマートキーシステム。
【請求項７】
前記制御装置は、前記第二制御器に電気的に接続され、前記車に対してロック又はロック解除するロック解除モジュールを更に備えることを特徴とする請求項１から６の何れか一項に記載のスマートキーシステム。
【請求項８】
前記スマートキーは、前記第一制御器に電気的に接続される内部電池を備え、前記第一制御器は電力を前記内部電池に伝送することを特徴とする請求項１から７の何れか一項に記載のスマートキーシステム。
【発明の詳細な説明】
【技術分野】
【０００１】
本発明は、スマートキーシステムに関するものである。
【背景技術】
【０００２】
従来の技術において、利用者は車両用リモコンキーのボタンを押して、車に無線周波信号を発信することによって、車のロックを解除する。しかし、車両用リモコンキーが盗難された場合、他人にロックを解除されて、車を盗まれる場合があるため、従来の車両用リモコンキーは安全ではない。また、従来の車両用リモコンキーは、ボタン電池を使用するため、電池の容量がわずかな場合、車のロック解除ができなくなり不便である。
【発明の概要】
【発明が解決しようとする課題】
【０００３】
本発明の目的は、前記問題を解決し、安全で且つ省エネできるスマートキーシステムを提供することである。
【課題を解決するための手段】
【０００４】
上記目的を達成するために、本発明に係るスマートキーシステムは、スマートキーと、車に装着される制御装置と、を備え、スマートキーは、第一制御器と、信号送信モジュールと、無線充電受信コイルと、を備え、制御装置は、第二制御器と、信号受信モジュールと、無線充電発信コイルと、を備え、信号送信モジュールは、音声信号を採集し、且つ信号受信モジュールに送信し、信号受信モジュールは、音声信号を第二制御器に送信し、第二制御器は音声信号に対してＩＤ検証作業を行い、車のロック解除を制御すると共に、無線充電発信コイルを駆動し、無線充電発信コイルは、電磁信号を無線充電受信コイルに伝送し、無線充電受信コイルは受信した電磁信号を第一制御器に送信し、第一制御器は電磁信号を電力に変換し且つ信号送信モジュールに伝送する。
【発明の効果】
【０００５】
本発明に係るスマートキーシステムは、音声信号により車のロック解除を行うため、安全性が高い。また、車に装着されている制御装置の無線充電発信コイルは、スマートキーの信号送信モジュールに電力を供給できるので、スマートキー自身の電力を省エネできる。
【図面の簡単な説明】
【０００６】
【図１】本発明の実施形態に係るスマートキーシステムのブロック図である。
【図２】図１に示すスマートキーシステムが車をロック解除する方法のフローチャートである。
【発明を実施するための形態】
【０００７】
図１に示したように、本発明の実施形態に係るスマートキーシステムは、スマートキー１００及び車に装着される制御装置２００を備える。
【０００８】
スマートキー１００は、第一制御器１１０と、信号送信モジュール１２０と、無線充電受信コイル１３０と、を備える。
【０００９】
第一制御器１１０は、電磁信号を電力に変換した後、該電力を信号送信モジュール１２０に伝送する。
【００１０】
信号送信モジュール１２０は、音声信号を送受信する。本実施形態において、信号送信モジュール１２０は、第一音声採集モジュール１２１及び第一音声エンコードモジュール１２２を備える。第一音声採集モジュール１２１は、利用者によって出力された音声信号を受信し、且つ該音声信号を音声アナログ信号に変換した後、音声アナログ信号を第一音声エンコードモジュール１２２に送信する。第一音声エンコードモジュール１２２は、音声アナログ信号を音声デジタル信号に変換し、該音声デジタル信号を制御装置２００に送信する。
【００１１】
制御装置２００は、第二制御器２１０と、信号受信モジュール２２０と、無線充電発信コイル２３０と、電池２４０と、ロック解除モジュール２５０と、を備える。
【００１２】
信号受信モジュール２２０は、信号送信モジュール１２０から送信された音声デジタル信号を受信し、且つ該音声デジタル信号を第二制御器２１０に送信する。
【００１３】
第二制御器２１０は、伝送モジュール２１１及びＩＤ検証モジュール２１２を備える。伝送モジュール２１１は、信号受信モジュール２２０から伝送された音声デジタル信号を受信し、且つ該音声デジタル信号をＩＤ検証モジュール２１２に送信する。ＩＤ検証モジュール２１２には、利用者の音声サンプルが予め記憶されているので、ＩＤ検証モジュール２１２は、利用者によってスマートキー１００に出力された音声信号を音声サンプルと対比して、利用者のＩＤを検証する。第二制御器２１０は、受信した音声デジタル信号に対して演算処理を行い、利用者のＩＤを検証する。利用者のＩＤを検証できた場合（つまり、出力された音声信号が音声サンプルにマッチングした場合）、第二制御器２１０は、電池２４０から出力された電力を無線充電発信コイル２３０に伝送して、電磁信号を発信するよう無線充電発信コイル２３０を制御すると共に、ロック解除モジュール２５０に制御信号を発信する。
【００１４】
本実施形態において、信号受信モジュール２２０は、第二音声採集モジュール２２１及び第二音声エンコードモジュール２２２を備える。第二音声採集モジュール２２１は、利用者の音声サンプルを予め録音する際に用いられる。音声サンプル信号は、第二音声エンコードモジュール２２２によりデジタル信号に変換され、該デジタル信号は、第二制御器２１０に送信されて、ＩＤ検証モジュール２１２に記憶される。
【００１５】
無線充電発信コイル２３０は、第二制御器２１０の駆動によって、無線充電受信コイル１３０に電磁信号を発信する。無線充電受信コイル１３０は、受信した電磁信号を第一制御器１１０に伝送し、第一制御器１１０は、電磁信号を電力に変換して、該電力を信号送信モジュール１２０に伝送する。つまり、信号送信モジュール１２０の作動により、スマートキー１００の電力は消費されない。
【００１６】
電池２４０は、第二制御器２１０に電力信号を伝送する。具体的には、第二制御器２１０のＩＤ検証モジュール２１２が利用者のＩＤを検証し終えると、伝送モジュール２１１は、電池２４０に制御信号を発信する。次いで、電池２４０は、第二制御器２１０に電力信号を発信する。第二制御器２１０は、電力信号を無線充電発信コイル２３０に送信する。
【００１７】
ロック解除モジュール２５０は、第二制御器２１０に電気的に接続されている。第二制御器２１０のＩＤ検証モジュール２１２が利用者のＩＤを検証し終えると、伝送モジュール２１１は、ロック解除モジュール２５０に制御信号を発信する。次いで、ロック解除モジュール２５０は、車をロックするか又はロック解除する。
【００１８】
利用者が初めてスマートキーシステムを使用する場合は、先ず、制御装置２００を介して音声サンプルを確立する。つまり、第二音声採集モジュール２２１及び第二音声エンコードモジュール２２２を介して、利用者の音声信号を第二制御器２１０内に記憶する。また、利用者が複数人の場合は、複数の音声サンプルを記憶できる。
【００１９】
図２は、音声サンプルが確立された後、スマートキーシステムが車をロック解除するステップを示している。
【００２０】
ステップＳ１０１において、制御装置２００の無線充電発信コイル２３０は、電磁信号を発信する。利用者がスマートキーを持って車に近づいた時、利用者はスマートキー１００に第一音声を入力する。スマートキー１００の信号送信モジュール１２０は、第一音声信号をデジタル信号に変換した後、該デジタル信号を制御装置２００の信号受信モジュール２２０に送信する。
【００２１】
ステップＳ１０２において、信号受信モジュール２２０は、デジタル信号を伝送モジュール２１１に送信し、ＩＤ検証モジュール２１２は受信したデジタル信号に対して、ＩＤ検証を行い、ＩＤが正しいかどうかを判断する。ＩＤが正しくない場合、作業はここで終了する。
【００２２】
ステップＳ１０３において、ＩＤが正しい場合、第二制御器２１０は、電磁信号を発信して、無線充電受信コイル１３０を充電するように無線充電発信コイル２３０を制御する。無線充電受信コイル１３０は、電磁信号を第一制御器１１０に伝送する。第一制御器１１０は、電磁信号を電力に変換した後、該電力を信号送信モジュール１２０に伝送する。  
【００２３】
ステップＳ１０４において、利用者はスマートキー１００に第二音声を入力する。信号送信モジュール１２０は、第二音声信号をデジタル信号に変換した後、該デジタル信号を信号受信モジュール２２０に送信する。
【００２４】
ステップＳ１０５において、信号受信モジュール２２０は、デジタル信号を第二制御器２１０に送信する。第二制御器２１０のＩＤ検証モジュール２１２はデジタル信号に対してＩＤを検証し、ＩＤが正しいかどうかを判断する。ＩＤが正しい場合、ステップＳ１０６に進む。ＩＤが正しくない場合、ロック解除できず、作業はここで終了する。
【００２５】
ステップＳ１０６において、第二制御器２１０は、車をロック解除するようにロック解除モジュール２５０を制御する。
【００２６】
ステップＳ１０７において、作業が終了する。
【００２７】
スマートキーシステムは、音声を介して、スマートキー１００に対して自由に充電ができる。また、スマートキー１００を充電する必要がない場合は、ステップＳ１０１〜Ｓ１０３を省略できる。
【００２８】
他の実施形態において、スマートキー１００は、内部電池(図示しない)を備え、内部電池は、第一制御器１１０に接続され、第一制御器１１０から電力が供給される。
【００２９】
信号送信モジュール１２０は、第一音声エンコードモジュール１２２を備え、入力された音声信号をエンコードできる。制御装置２００の第二制御器２１０は音声信号に対してＩＤ検証作業を行い、車をロック解除する。即ち、本発明のスマートキーシステムは、音声認識方法によって利用者のＩＤを検証して車をロック解除できるため、従来のロック解除ボタンを必要としない。音声認識技術は、バイオメトリクス技術の一つであって、人の生体及び行為等の特徴が反映される音声パラメーターに基づいて、利用者のＩＤを自動的に認識する技術である。利用者によって発せられる音声は、声帯の特徴、話し方、発音等によって違うので、暗号性に優れている。従って、スマートキー１００が盗難されても、車を使用されることはない。
【００３０】
本発明のスマートキーシステムは、スマートキー１００が無線充電受信モジュール１３０を備え、制御装置２００は、無線充電発信コイル２３０を備え、第二制御器２１０が音声認識作業を終えると、無線充電受信モジュール１３０は、無線電源信号を受信して、第一制御器１１０を介して、信号送信モジュール１２０に電力を伝送する。これにより、車のロック解除作業は、スマートキー１００の電力をあまり消耗しない。
【符号の説明】
【００３１】
１００  スマートキー
１１０  第一制御器
１２０  信号送信モジュール
１２１  第一音声採集モジュール
１２２  第一音声エンコードモジュール
１３０  無線充電受信コイル
２００  制御装置
２１０  第二制御器
２１１  伝送モジュール
２１２  ＩＤ検証モジュール
２２０  信号受信モジュール
２２１  第二音声採集モジュール
２２２  第二音声エンコードモジュール
２３０  無線充電発信コイル
２４０  電池
２５０  ロック解除モジュール
【図１】
2016098643.tif 000003
【図２】
2016098643.tif 000004